(57)【要約】【課題】急激な入力レベルの変化に対応できるダイナミックレンジの広いテレビ受信用増幅装置を提供する。【解決手段】夫々信号減衰手段と増幅手段を備えた第１の増幅部及び第２の増幅部とを一本の同軸ケーブルで接続するように構成される。第１の増幅部は同軸ケーブルを介して供給される第２の増幅部において生成される第１の増幅部制御電圧で動作すると共に，この第１の増幅部制御電圧で第１の信号減衰手段を制御する。第２の増幅部は端末側から供給される第２の電源電圧で動作する。第２の増幅部には，第２の増幅手段の出力からテレビ信号の一部を取り出し制御信号を生成する自動利得調整手段を備え，この制御電圧で第２の増幅部に備えた第２の信号減衰手段を制御する。更にこの制御電圧に対応して所定範囲で可変する制御電圧を生成する第１の増幅部制御電圧生成手段を備える。この制御電圧は同軸ケーブルを介して前記第１の増幅部に供給する。【選択図】  図１
2006229500.tif 000002
【特許請求の範囲】
【請求項１】
テレビ放送波受信用のアンテナにて受信したテレビ信号を増幅して端末側に一本の伝送線路によって伝送するためのテレビ受信用増幅装置において，
該テレビ受信用増幅装置は，前記アンテナの給電部に内蔵させるか若しくは該給電部の近傍に介設しアンテナからの出力信号を所定レベルまで増幅する第１の増幅部と，端末側に設置され，前記第１の増幅部から前記伝送線路を介して送られた出力信号を所定レベルまで増幅する第２の増幅部とから成り，
前記第１の増幅部は，少なくとも，第１の入力端子から入力されたテレビ信号を減衰させる第１の信号減衰手段と，前記第１の信号減衰手段にて減衰されたテレビ信号を増幅する第１の増幅手段と，伝送線路を介して供給される第１の増幅部制御電圧を第１の出力端子から取り入れると共に，第１の増幅手段において所定レベルまで増幅されたテレビ信号を第１の出力端子へ出力するための第１の電源重畳手段と，この第１の電源重畳手段によって取り入れられる前記第１の増幅部制御電圧から，第１の電源電圧を生成する第１の電源生成手段とから成り，
前記第２の増幅部は，少なくとも，第２の入力端子から入力されたテレビ信号を減衰させる第２の信号減衰手段と，前記第２の信号減衰手段にて減衰されたテレビ信号を増幅する第２の増幅手段と，前記第２の増幅手段にて増幅されたテレビ信号を第２の出力端子側へ出力すると共に，該増幅されたテレビ信号の一部を分岐させる出力分岐手段と，端末側から伝送線路を介して供給される第２の電源電圧を第２の出力端子から取り入れると共に，前記出力分岐手段から出力されるテレビ信号を第２の出力端子へ出力するための第２の電源重畳手段と，前記第２の増幅手段による増幅後のテレビ信号が所定レベルとなるように，前記出力分岐手段により分岐されたテレビ信号に基づいて前記第２の信号減衰手段の減衰量を制御するための制御電圧を生成する第２の自動利得調整手段と，該第２の自動利得調整手段において生成された制御電圧に対応し，該制御信号より高い電圧であって前記第３の電源電圧より低い電圧の範囲内で可変する第１の増幅部制御電圧を生成する第１の増幅部制御電圧生成手段と，前記第１の増幅部制御電圧生成手段において生成された第１の増幅部制御電圧を前記第２の入力端子側へ出力すると共に，この第２の入力端子から入力されたテレビ信号を前記第２の信号減衰手段へ出力する第１の増幅部制御電圧重畳手段と，から成り，
前記第２の増幅部は前記端末側から伝送線路を介して供給される第２の電源電圧によって動作するように構成され，
前記第１の増幅部は，伝送線路を介して供給される第１の増幅部制御電圧から，前記第１の電源生成手段を介して生成した第１の電源電圧によって動作すると共に，前記第１の信号減衰手段は前記第２の増幅部に備えられた前記第１の増幅部制御電圧生成手段において生成された第１の増幅部制御電圧によって制御されるように構成したことを特徴としたテレビ受信用増幅装置。
【請求項２】
複数のアンテナからの信号を増幅するために該アンテナと同数の前記第１の増幅部が備えられ，夫々の第１の増幅部において所定レベルまで増幅された出力信号を混合して一本の伝送線路で出力する混合器を介し，前記第２の増幅部と接続するように構成され，
前記第２の増幅部は前記端末側から伝送線路を介して供給される第２の電源電圧によって動作するように構成され，
各第１の増幅部は，伝送線路と前記混合器を介して供給される第１の増幅部制御電圧から，前記第１の電源生成手段を介して生成された第１の電源電圧によって動作すると共に，前記第１の信号減衰手段は前記第２の増幅部に備えられた前記第１の増幅部制御電圧生成手段において生成された第１の増幅部制御電圧によって制御されるように構成したことを特徴とした請求項１に記載のテレビ受信用増幅装置。
【請求項３】
複数のテレビ放送波受信用のアンテナにて受信したテレビ信号を夫々増幅し，その受信信号を選択的に切り換えて端末側に一本の伝送線路によって伝送するダイバーシティー方式のテレビ受信受信用機器において，
該テレビ受信用増幅装置は，複数のアンテナからの信号を増幅するために該アンテナと同数の前記第１の増幅部と，夫々の第１の増幅部において所定レベルまで増幅された受信信号を復調して検波信号を出力する受信部と，前記受信信号の信号強度に応じてアンテナ切換手段へ切換制御信号を送る切換判定手段と，該切換判定手段に基づいて前記受信信号を切り換えて出力信号として出力する前記アンテナ切換手段とから成るアンテナ切換部と，該アンテナ切換部から出力された出力信号を所定レベルまで増幅する前記第２の増幅部と，から成り，
前記第１の増幅部は，第１の入力端子から入力されたテレビ信号を減衰させる第１の信号減衰手段と，前記第１の信号減衰手段にて減衰されたテレビ信号を増幅する第１の増幅手段と，伝送線路を介して供給される第１の増幅部制御電圧を第１の出力端子から取り入れると共に，第１の増幅手段において所定レベルまで増幅されたテレビ信号を第１の出力端子側へ出力するための第１の電源重畳手段と，この第１の電源重畳手段によって取り入れられる前記第１の増幅部制御電圧から，第１の電源電圧を生成する第１の電源生成手段と，から成り，
前記第２の増幅部は，第２の入力端子から入力されたテレビ信号を減衰させる第２の信号減衰手段と，前記第２の信号減衰手段にて減衰されたテレビ信号を増幅する第２の増幅手段と，前記第２の増幅手段にて増幅されたテレビ信号を第２の出力端子側へ出力すると共に，該増幅されたテレビ信号の一部を分岐させる出力分岐手段と，端末側から伝送線路を介して供給される第２の電源電圧を第２の出力端子から取り入れると共に，前記出力分岐手段から出力されるテレビ信号を第２の出力端子側へ出力するための第２の電源重畳手段と，前記第２の増幅手段による増幅後のテレビ信号が所定レベルとなるように，前記出力分岐手段により分岐されたテレビ信号に基づいて前記第２の信号減衰手段の減衰量を制御するための制御電圧を生成する第２の自動利得調整手段と，該第２の自動利得調整手段において生成された制御電圧に対応し，該制御信号より高い電圧であって前記第２の電源電圧より低い電圧の範囲内で可変する第１の増幅部制御電圧を生成する第１の増幅部制御電圧生成手段と，前記第１の増幅部制御電圧生成手段において生成された第１の増幅部制御電圧を前記第２の入力端子側へ出力すると共に，この第２の入力端子から入力されたテレビ信号を前記第２の信号減衰手段へ出力する第１の増幅部制御電圧重畳手段と，から成り，
前記第２の増幅部は前記端末側から伝送線路を介して供給される第２の電源電圧によって動作するように構成され，
前記第１の増幅部は，伝送線路を介して供給される第１の増幅部制御電圧から，前記第１の電源生成手段を介して生成した第１の電源電圧によって動作すると共に，前記第１の信号減衰手段は前記第２の増幅部に備えられた前記第１の増幅部制御電圧生成手段において生成された第１の増幅部制御電圧によって制御されるように構成したことを特徴としたダイバーシティー方式のテレビ受信用増幅装置。
【請求項４】
請求項１乃至請求項３に記載のテレビ受信用増幅装置と，
少なくとも，前記第２の電源電圧を生成する端末側電源生成手段と，前記第２の増幅部との間に介設される伝送線路からの出力信号を受け入れると共に，前記第２の増幅部に伝送線路を介して第２の電源電圧を送出する端末側重畳手段とを備えて成る端末側装置と，
から成ることを特徴としたテレビ受信用増幅装置。
【請求項５】
請求項１乃至請求項４のテレビ受信用増幅装置と，テレビ受信用のアンテナと，少なくとも前記第１の増幅部と第２の増幅部との間に介設する所定長さの伝送線路と，を予め備えたことを特徴としたテレビ受信用増幅装置。
【請求項６】
少なくとも，前記第１の増幅部と前記第２の増幅部との間，及び，前記第２の増幅部と端末側との間に介設する伝送線路は外形寸法が５ｍｍと同じ若しくはこれより細径の同軸ケーブルを使用するように構成したことを特徴とした請求項１乃至請求項５に記載のテレビ受信用増幅装置。
【請求項７】
少なくともテレビ受信用のアンテナと前記第１の増幅部とを車体の外部に装着された表示灯若しくは広告塔に内蔵するように構成したことを特徴とした請求項１乃至請求項６に記載のテレビ受信用増幅装置。
【請求項８】
前記アンテナはフィルムアンテナから成ることを特徴とした請求項１乃至請求項７に記載のテレビ受信用増幅装置。
【請求項９】
前記テレビ受信用増幅装置は地上ディジタル放送受信用であることを特徴とした請求項１乃至請求項８の何れかに記載のテレビ受信用増幅装置。
【請求項１０】
少なくとも，テレビ放送波受信用のアンテナと，該アンテナにて受信したテレビ信号を増幅して端末側に一本の伝送線路によって伝送する増幅部とから成るテレビ受信用増幅装置を備えたテレビ受信システムにおいて，
前記テレビ受信用増幅装置は，請求項１乃至請求項９の何れかに記載のテレビ受信用増幅装置であって，
少なくとも，前記第１の増幅部よりアンテナ側は建造物若しくは車両の外部に設置されるように構成したことを特徴としたテレビ受信システム。
【発明の詳細な説明】
【技術分野】
【０００１】
本発明は，主にテレビ放送受信用に利用されるテレビ受信用増幅装置に関し，詳しくは主に移動体に利用され，地上ディジタル放送を受信するための増幅装置，及び，これを用いた受信システムに関する。
【背景技術】
【０００２】
従来からテレビ受信用増幅装置は，テレビ放送用のアンテナの近傍に取付けられて使用するものや，テレビやＶＴＲ等の端末側装置の近傍に取付けられるものがあった。前者はアンテナの近傍に取付けることになるため，テレビの画像を見ながら利得調整，アッテネータ等の作業をするためには工事者一人では無理があり，作業効率が著しく悪いものであった。
一方後者は，アンテナと増幅装置との間に介設した同軸ケーブルの伝送損失によって，増幅装置への入力レベルが低下しＣ／Ｎが劣化してしまう場合があった。そこで，このような問題点を解決するために，増幅装置をアンテナ近傍に設置する第１の増幅部と，端末側装置の近傍に設置する第２の増幅部とに分けたものが提案されおり，テレビアンテナで受信された信号は，同軸ケーブルを介して第１の増幅部に入力される。入力された信号は切換手段であるリレーでもって，第１の増幅器若しくは減衰器が選択されてから，電源分離フィルタを通過後に第１の増幅部から出力される。この選択は第２の増幅部に備えさせたスイッチの入り切りによって，この第２の増幅部に備えさせた電源から第２の増幅部の電源分離フィルタ，同軸ケーブル，第１の増幅部の電源分離フィルタを通してリレーに電源が入り切りされ，これによる当該リレーの切換えによって行われる。
更に第２の増幅部に備えさせた電源からは，前記第１の増幅器及び前記第２の増幅部に備えさせた第２の増幅器にも最適な電源が供給される。こうして第１の増幅部において増幅された受信信号は，同軸ケーブルを介して前記第２の増幅部に入力される。この入力信号は電源分離フィルタを通過後，可変減衰器で適宜利得調整されてから第２の増幅器で増幅された後に第２の増幅部から出力され，テレビ受像機２３に供給される。
従ってこの実施例では，テレビ受像機を見ながら利得調整ができるばかりでなく，スイッチの操作で増幅装置のダイナミックレンジを広げることができるので，電界強度が大きく異なる地域用に共通に使用できるテレビ受信用増幅装置が提供されている。
（例えば特許文献１参照）
【０００３】
【特許文献１】特開平６−３２６５３４号公報
【発明の開示】
【発明が解決しようとする課題】
【０００４】
しかし，従来のＴＶ受信用増幅装置によると，例えばＵＨＦ帯で開始される地上ディジタル放送を受信することを考えると，テレビ放送が２０１１年に完全にディジタル化されるまで，従来の地上アナログ放送とのサイマル放送となる。このため，今現在における電波状態から，新たにＵＨＦ帯のチャンネルが増えたり，アナログ受信，ディジタル受信の相互に影響が出ないように対策をするために，地上ディジタル放送波の送信電力を徐々に増力したりすることになり，受信状況が変わる。これによって，テレビ受信用増幅装置には今まで以上に多チャンネルの信号が入力されたり，入力レベルが高くなることになり，増幅装置に過大レベルの入力信号が入力され，最悪の場合，増幅装置が歪んで映像に妨害を与えることになる。
【０００５】
ところで，地上ディジタル放送は高画質・高音質な放送ばかりでなく，データ放送などのサービスが受けられるのであるが，その利用方法の１つとして，例えば自家用車，タクシー等の移動体において，地上ディジタル放送を楽しむことが考えられる。このような場合，地上ディジタル用のアンテナを車のルーフ等に設置して，地上ディジタル放送用のチューナーなどの端末側装置を車内やトランクルーム等に設置し，運転席のダッシュボードや，シート等に設置された液晶テレビで見るような受信システムが考えられる。このシステムでは，アンテナからの同軸ケーブルは車内に引き込む必要があるので，テレビアンテナと端末側装置との間に介設される伝送線は，車体のラインに合わせて配線するために可曲性に優れ，且つ，車内への引き込みが容易なように，細径の同軸ケーブルが適している。しかし，細径の同軸ケーブルは，一般的にホーム共同受信システムに用いられる５Ｃ相当の同軸ケーブルに対して伝送損失が大きく，その値は使用する周波数帯が高いほど大きくなることから，端末側装置（例えば，地上ディジタル放送用チューナー）に入力される信号レベルが低下し，これによって受信のＣ／Ｎ特性が劣化することになる。
【０００６】
そこで，アンテナと端末側装置との間にテレビ受信用増幅装置を介設して，安定的に受信をする方法が考えられるのであるが，Ｃ／Ｎを良好に保つには，増幅装置をアンテナ給電部に内蔵させたり，若しくはアンテナの近傍に設置したりすることが必要となる。ところが増幅度の高い増幅装置を，アンテナの近傍に配設すれば，発振する場合があるといった問題が有ったり，発信の問題が改善されたとしても，増幅度を上げるために増幅回路の構成部品が多くなったり，シールド性などの向上のためにケースの構造体が複雑になったりすることによって，結果的に増幅装置の外形が大きくなり，コストアップとなるばかりでなく，車両のルーフなどに設置し難いものになってしまうといった問題があった。
【０００７】
また，増幅装置を従来例のように，第１の増幅部と第２の増幅部とに構成して，第１の増幅部と第１の増幅部とを同軸ケーブルで接続するように構成すれば，Ｃ／Ｎの劣化の少ないテレビ受信用増幅装置が出来るのであるが，従来例に示すような回路構成にあっては，地上ディジタル放送波の送信電力などがフルパワーでない地域や，安定的に出されていない地域において使用できるように最適な状態に設置されていても，地上放送における２０１１年以降の完全ディジタル化において，多チャンネル化や送信電力の増力化がなされた時には，増幅装置に過大入力が入力されて，増幅装置の入力がオーバーすることが考えられる。また，車のような移動体での使用においては，短時間の間に電界強度が大きく変化する場合があることを考えると，これらの入力の変化に対応するために，第２の増幅部に備えられたスイッチ操作によって，入力レベルの変化に対応する事は，移動時（即ち運転時）のような時には，瞬時の対応ができないといった問題があった。また，仮に操作可能にするためには，スイッチ操作をやり安いようにするために，第２の増幅部の設置場所が極めて限定されるといった問題があった。
そこで本発明はこのような問題点を解決するためになされたものであり，
その目的は，テレビ受信用増幅装置を提供することにある。
他の目的は，特に入力レベルのダイナミックレンジの広いテレビ受信用増幅装置を提供することにある。
他の目的は，第１の増幅部と第２の増幅部と端末側装置とから成るテレビ受信用増幅装置を提供することにある。
他の目的は，車載用に適したテレビ受信用増幅装置を提供することにある。
他の目的は，地上ディジタル放送を移動体で楽しむためのテレビ受信用増幅装置を提供することにある。
【課題を解決するための手段】
【０００８】
上記課題を解決するために，請求項１の発明は，テレビ放送波受信用のアンテナにて受信したテレビ信号を増幅して端末側に一本の伝送線路によって伝送するためのテレビ受信用増幅装置において，該テレビ受信用増幅装置は，前記アンテナの給電部に内蔵させるか若しくは該給電部の近傍に介設しアンテナからの出力信号を所定レベルまで増幅する第１の増幅部と，端末側に設置され，前記第１の増幅手段から前記伝送線路を介して送られた出力信号を所定レベルまで増幅する第２の増幅部とから成り，前記第１の増幅手段は，少なくとも，第１の入力端子から入力されたテレビ信号を減衰させる第１の信号減衰手段と，前記第１の信号減衰手段にて減衰されたテレビ信号を増幅する第１の増幅手段と，伝送線路を介して供給される第１の増幅部制御電圧を第１の出力端子から取り入れると共に，第１の増幅手段において所定レベルまで増幅されたテレビ信号を第１の出力端子へ出力するための第１の電源重畳手段と，この第１の電源重畳手段によって取り入れられる前記第１の増幅部制御電圧から，第１の電源電圧を生成する第１の電源生成手段とから成り，前記第２の増幅部は，少なくとも，第２の入力端子から入力されたテレビ信号を減衰させる第２の信号減衰手段と，前記第２の信号減衰手段にて減衰されたテレビ信号を増幅する第２の増幅手段と，前記第２の増幅手段にて増幅されたテレビ信号を第２の出力端子側へ出力すると共に，該増幅されたテレビ信号の一部を分岐させる出力分岐手段と，端末側から伝送線路を介して供給される第２の電源電圧を第２の出力端子から取り入れると共に，前記出力分岐手段から出力されるテレビ信号を第２の出力端子へ出力するための第２の電源重畳手段と，前記第２の増幅手段による増幅後のテレビ信号が所定レベルとなるように，前記出力分岐手段により分岐されたテレビ信号に基づいて前記第２の信号減衰手段の減衰量を制御するための制御電圧を生成する第２の自動利得調整手段と，該第２の自動利得調整手段において生成された制御電圧に対応し，該制御信号より高い電圧であって前記第３の電源電圧より低い電圧の範囲内で可変する第１の増幅部制御電圧を生成する第１の増幅部制御電圧生成手段と，前記第１の増幅部制御電圧生成手段において生成された第１の増幅部制御電圧を前記第２の入力端子側へ出力すると共に，この第２の入力端子から入力されたテレビ信号を前記第２の信号減衰手段へ出力する第１の増幅部制御電圧重畳手段と，から成り，前記第２の増幅部は前記端末側から伝送線路を介して供給される第２の電源電圧によって動作するように構成され，前記第１の増幅部は，伝送線路を介して供給される第１の増幅部制御電圧から，前記第１の電源生成手段を介して生成した第１の電源電圧によって動作すると共に，前記第１の信号減衰手段は前記第２の増幅部に備えられた前記第１の増幅部制御電圧生成手段において生成された第１の増幅部制御電圧によって制御されるように構成した。
【０００９】
請求項２の発明は，請求項１に記載のテレビ受信用増幅装置において，複数のアンテナからの信号を増幅するために該アンテナと同数の前記第１の増幅部が備えられ，夫々の第１の増幅部において所定レベルまで増幅された出力信号を混合して一本の伝送線路で出力する混合器を介し，前記第２の増幅部と接続するように構成され，前記第２の増幅部は前記端末側から伝送線路を介して供給される第２の電源電圧によって動作するように構成され，各第１の増幅部は，伝送線路と前記混合器を介して供給される第１の増幅部制御電圧から，前記第１の電源生成手段を介して生成された第１の電源電圧によって動作すると共に，前記第１の信号減衰手段は前記第２の増幅部に備えられた前記第１の増幅部制御電圧生成手段において生成された第１の増幅部制御電圧によって制御されるように構成した。
【００１０】
請求項３の発明は，複数のテレビ放送波受信用のアンテナにて受信したテレビ信号を夫々増幅し，その受信信号を選択的に切り換えて端末側に一本の伝送線路によって伝送するダイバーシティー方式のテレビ受信受信用機器において，
該テレビ受信用増幅装置は，複数のアンテナからの信号を増幅するために該アンテナと同数の前記第１の増幅部と，夫々の第１の増幅部において所定レベルまで増幅された受信信号を復調して検波信号を出力する受信部と，前記受信信号の信号強度に応じてアンテナ切換手段へ切換制御信号を送る切換判定手段と，該切換判定手段に基づいて前記受信信号を切り換えて出力信号として出力するアンテナ切換手段とから成るアンテナ切換部と，該アンテナ切換部から出力された出力信号を所定レベルまで増幅する前記第２の増幅部と，から成り，前記第１の増幅部は，第１の入力端子から入力されたテレビ信号を減衰させる第１の信号減衰手段と，前記第１の信号減衰手段にて減衰されたテレビ信号を増幅する第１の増幅手段と，伝送線路を介して供給される第１の増幅部制御電圧を第１の出力端子から取り入れると共に，第１の増幅手段において所定レベルまで増幅されたテレビ信号を第１の出力端子側へ出力するための第１の電源重畳手段と，この第１の電源重畳手段によって取り入れられる前記第１の増幅部制御電圧から，第１の電源電圧を生成する第１の電源生成手段と，から成り，前記第２の増幅部は，第２の入力端子から入力されたテレビ信号を減衰させる第２の信号減衰手段と，前記第２の信号減衰手段にて減衰されたテレビ信号を増幅する第２の増幅手段と，前記第２の増幅手段にて増幅されたテレビ信号を第２の出力端子側へ出力すると共に，該増幅されたテレビ信号の一部を分岐させる出力分岐手段と，端末側から伝送線路を介して供給される第２の電源電圧を第２の出力端子から取り入れると共に，前記出力分岐手段から出力されるテレビ信号を第２の出力端子側へ出力するための第２の電源重畳手段と，前記第２の増幅手段による増幅後のテレビ信号が所定レベルとなるように，前記出力分岐手段により分岐されたテレビ信号に基づいて前記第２の信号減衰手段の減衰量を制御するための制御電圧を生成する第２の自動利得調整手段と，該第２の自動利得調整手段において生成された制御電圧に対応し，該制御信号より高い電圧であって前記第２の電源電圧より低い電圧の範囲内で可変する第１の増幅部制御電圧を生成する第１の増幅部制御電圧生成手段と，前記第１の増幅部制御電圧生成手段において生成された第１の増幅部制御電圧を前記第２の入力端子側へ出力すると共に，この第２の入力端子から入力されたテレビ信号を前記第２の信号減衰手段へ出力する第１の増幅部制御電圧重畳手段と，から成り，前記第２の増幅部は前記端末側から伝送線路を介して供給される第２の電源電圧によって動作するように構成され，前記第１の増幅部は，伝送線路を介して供給される第１の増幅部制御電圧から，前記第１の電源生成手段を介して生成した第１の電源電圧によって動作すると共に，前記第１の信号減衰手段１２は前記第２の増幅部に備えられた前記第１の増幅部制御電圧生成手段において生成された第１の増幅部制御電圧によって制御されるように構成される。
【００１１】
請求項４の発明は，請求項１乃至請求項３に記載のテレビ受信用増幅装置と，少なくとも，前記第２の電源電圧を生成する端末側電源生成手段と，前記第２の増幅部との間に介設される伝送線路からの出力信号を受け入れると共に，前記第２の増幅部に伝送線路を介して第２の電源電圧を送出する端末側重畳手段とを備えて成る端末側装置と，から成るように構成される。
【００１２】
請求項５の発明は，請求項１乃至請求項４のテレビ受信用増幅装置と，テレビ受信用のアンテナと，少なくとも前記第１の増幅部と第２の増幅部との間に介設する所定長さの伝送線路と，を予め備えるように構成する。
【００１３】
請求項６の発明は，請求項１乃至請求項５に記載のテレビ受信用増幅装置において，少なくとも，前記第１の増幅部と前記第２の増幅部との間，及び，前記第２の増幅部と端末側との間に介設する伝送線路は外形寸法が５ｍｍと同じ若しくはこれより細径の同軸ケーブルを使用するように構成した。
【００１４】
請求項７の発明は，請求項１乃至請求項６に記載のテレビ受信用増幅装置において，少なくともテレビ受信用のアンテナと前記第１の増幅部とを車体の外部に装着された表示灯若しくは広告塔に内蔵するように構成した。
【００１５】
請求項８の発明は，請求項１乃至請求項７に記載のテレビ受信用増幅装置において，前記アンテナはフィルムアンテナから成るように構成した。
【００１６】
請求項９の発明は，請求項１乃至請求項８の何れかに記載のテレビ受信用増幅装置において，前記テレビ受信用増幅装置は地上ディジタル放送受信用であるように構成した。
【００１７】
請求項１０の発明は，少なくとも，テレビ放送波受信用のアンテナと，該アンテナにて受信したテレビ信号を増幅して端末側に一本の伝送線路によって伝送する増幅部とから成るテレビ受信用増幅装置を備えたテレビ受信システムにおいて，前記テレビ受信用増幅装置は，請求項１乃至請求項９の何れかに記載のテレビ受信用増幅装置であって，少なくとも，前記第１の増幅部よりアンテナ側は建造物若しくは車両の外部に設置されるように構成した。
【発明の効果】
【００１８】
請求項１の発明によれば，テレビ放送波受信用のアンテナにて受信したテレビ信号を増幅して端末側に一本の伝送線路によって伝送するためのテレビ受信用増幅装置において，該テレビ受信用増幅装置は，前記アンテナ１の給電部に内蔵させるか若しくは該給電部の近傍に介設しアンテナ１からの出力信号を所定レベルまで増幅する第１の増幅部１０と，端末側に設置され，前記第１の増幅部１０から前記伝送線路３を介して送られた出力信号を所定レベルまで増幅する第２の増幅部２０とから成り，前記第１の増幅部１０は，少なくとも，第１の入力端子Ｉｎ１から入力されたテレビ信号を減衰させる第１の信号減衰手段１２と，前記第１の信号減衰手段１２にて減衰されたテレビ信号を増幅する第１の増幅手段１３と，伝送線路３を介して供給される第１の増幅部制御電圧を第１の出力端子Ｏｕｔ１から取り入れると共に，第１の増幅手段１３において所定レベルまで増幅されたテレビ信号を第１の出力端子Ｏｕｔ１へ出力するための第１の電源重畳手段１５と，この第１の電源重畳手段１５によって取り入れられる前記第１の増幅部制御電圧から，第１の電源電圧を生成する第１の電源生成手段１６とから成り，前記第２の増幅部２０は，少なくとも，第２の入力端子Ｉｎ２から入力されたテレビ信号を減衰させる第２の信号減衰手段２２と，前記第２の信号減衰手段２２にて減衰されたテレビ信号を増幅する第２の増幅手段２３と，前記第２の増幅手段２３にて増幅されたテレビ信号を第２の出力端子Ｏｕｔ２側へ出力すると共に，該増幅されたテレビ信号の一部を分岐させる出力分岐手段２４と，端末側から伝送線路４を介して供給される第２の電源電圧を第２の出力端子Ｏｕｔ２から取り入れると共に，前記出力分岐手段２４から出力されるテレビ信号を第２の出力端子Ｏｕｔ２へ出力するための第２の電源重畳手段２５と，前記第２の増幅手段２３による増幅後のテレビ信号が所定レベルとなるように，前記出力分岐手段２４により分岐されたテレビ信号に基づいて前記第２の信号減衰手段２２の減衰量を制御するための制御電圧を生成する第２の自動利得調整手段２７と，該第２の自動利得調整手段２７において生成された制御電圧に対応し，該制御信号より高い電圧であって前記第３の電源電圧より低い電圧の範囲内で可変する第１の増幅部制御電圧を生成する第１の増幅部制御電圧生成手段２８と，前記第１の増幅部制御電圧生成手段２８において生成された第１の増幅部制御電圧を前記第２の入力端子側Ｉｎ２へ出力すると共に，この第２の入力端子Ｉｎ２から入力されたテレビ信号を前記第２の信号減衰手段２２へ出力する第１の増幅部制御電圧重畳手段２１と，から成り，前記第２の増幅部２０は前記端末側から伝送線路４を介して供給される第２の電源電圧によって動作するように構成され，前記第１の増幅部１０は，伝送線路３を介して供給される第１の増幅部制御電圧から，前記第１の電源生成手段１６を介して生成した第１の電源電圧によって動作すると共に，前記第１の信号減衰手段１２は前記第２の増幅部２０に備えられた前記第１の増幅部制御電圧生成手段２８において生成された第１の増幅部制御電圧によって制御されるように構成したので，
受信レベルが弱い地域においてもＣ／Ｎの劣化がなく，また，受信レベルが強く増幅装置への入力レベルが増えた場合でも，最適な出力レベルとなるように，自動的に利得調整が動作し安定した受信ができると言った，ダイナミックレンジの広い自動利得調整回路付きのテレビ受信用増幅装置を提供できるのである。
【００１９】
請求項２の発明によれば，請求項１に記載のテレビ受信用増幅装置において，複数のアンテナ１，１・・・からの信号を増幅するために該アンテナ１，１・・・と同数の前記第１の増幅部１０．１０・・・が備えられ，夫々の第１の増幅部１０，１０・・・において所定レベルまで増幅された出力信号を混合して一本の伝送線路３で出力する混合器８を介し，前記第２の増幅部２０と接続するように構成され，前記第２の増幅部２０は前記端末側から伝送線路４を介して供給される第２の電源電圧によって動作するように構成され，各第１の増幅部１０は，伝送線路３，２と前記混合器８を介して供給される第１の増幅部制御電圧から，前記第１の電源生成手段１６を介して生成された第１の電源電圧によって動作すると共に，前記第１の信号減衰手段１２は前記第２の増幅部２０に備えられた前記第１の増幅部制御電圧生成手段２８において生成された第１の増幅部制御電圧によって制御されるように構成したので
アンテナの指向性を無指向性にでき，安定した受信ができるダイナミックレンジの広い自動利得調整付きのテレビ受信用増幅装置を提供できるのである。。
【００２０】
請求項３の発明によれば，複数のテレビ放送波受信用のアンテナ１，１・・・にて受信したテレビ信号を夫々増幅し，その受信信号を選択的に切り換えて端末側に一本の伝送線路によって伝送するダイバーシティー方式のテレビ受信受信用機器において，
該テレビ受信用増幅装置は，複数のアンテナ１，１・・・からの信号を増幅するために該アンテナ１，１・・・と同数の前記第１の増幅部１０，１０・・・と，夫々の第１の増幅部１０，１０・・・において所定レベルまで増幅された受信信号を復調して検波信号を出力する受信部４１，４１・・・と，前記受信信号の信号強度に応じてアンテナ切換手段４６へ切換制御信号を送る切換判定手段４５と，該切換判定手段４５に基づいて前記受信信号を切り換えて出力信号として出力する前記アンテナ切換手段４６とから成るアンテナ切換部９と，該アンテナ切換手段９から出力された出力信号を所定レベルまで増幅する前記第２の増幅部２０と，から成り，前記第１の増幅部１０は，第１の入力端子Ｉｎ１から入力されたテレビ信号を減衰させる第１の信号減衰手段１２と，前記第１の信号減衰手段１２にて減衰されたテレビ信号を増幅する第１の増幅手段１３と，伝送線路２を介して供給される第１の増幅部制御電圧を第１の出力端子Ｏｕｔ１から取り入れると共に，第１の増幅手段１３において所定レベルまで増幅されたテレビ信号を第１の出力端子Ｏｕｔ１側へ出力するための第１の電源重畳手段１５と，この第１の電源重畳手段１５によって取り入れられる前記第１の増幅部制御電圧から，第１の電源電圧を生成する第１の電源生成手段１６と，から成り，前記第２の増幅部２０は，第２の入力端子Ｉｎ２から入力されたテレビ信号を減衰させる第２の信号減衰手段２２と，前記第２の信号減衰手段２２にて減衰されたテレビ信号を増幅する第２の増幅手段２３と，前記第２の増幅手段２３にて増幅されたテレビ信号を第２の出力端子Ｏｕｔ２側へ出力すると共に，該増幅されたテレビ信号の一部を分岐させる出力分岐手段２４と，端末側から伝送線路４を介して供給される第２の電源電圧を第２の出力端子Ｏｕｔ２から取り入れると共に，前記出力分岐手段２４から出力されるテレビ信号を第２の出力端子Ｏｕｔ２側へ出力するための第２の電源重畳手段２５と，前記第２の増幅手段２３による増幅後のテレビ信号が所定レベルとなるように，前記出力分岐手段２４により分岐されたテレビ信号に基づいて前記第２の信号減衰手段２２の減衰量を制御するための制御電圧を生成する第２の自動利得調整手段２７と，該第２の自動利得調整手段２７において生成された制御電圧に対応し，該制御信号より高い電圧であって前記第２の電源電圧より低い電圧の範囲内で可変する第１の増幅部制御電圧を生成する第１の増幅部制御電圧生成手段２８と，前記第１の増幅部制御電圧生成手段２８において生成された第１の増幅部制御電圧を前記第２の入力端子側Ｉｎ２へ出力すると共に，この第２の入力端子Ｉｎ２から入力されたテレビ信号を前記第２の信号減衰手段２２へ出力する第１の増幅部制御電圧重畳手段２１と，から成り，前記第２の増幅部２０は前記端末側から伝送線路４を介して供給される第２の電源電圧によって動作するように構成され，前記第１の増幅部１０は，伝送線路３，２を介して供給される第１の増幅部制御電圧から，前記第１の電源生成手段１６を介して生成した第１の電源電圧によって動作すると共に，前記第１の信号減衰手段１２は前記第２の増幅部２０に備えられた前記第１の増幅部制御電圧生成手段２８において生成された第１の増幅部制御電圧によって制御されるように構成したので
常に一番強い電波を受信するようにアンテナの受信出力を切り換えることができ，安定した受信ができるダイナミックレンジの広い自動利得調整回路付きのテレビ受信用増幅装置を提供できるのである。
【００２１】
請求項４の発明によれば，請求項１乃至請求項３に記載のテレビ受信用増幅装置と，少なくとも，前記第２の電源電圧を生成する端末側電源生成手段３１と，前記第２の増幅部２０との間に介設される伝送線路４からの出力信号を受け入れると共に，前記第２の増幅部２０に伝送線路４を介して第２の電源電圧を送出する端末側重畳手段３２とを備えて成る端末側装置３０と，から成るように構成したので，
例えば，テレビ受像機や地上ディジタル放送の受信をする地上ディジタル放送受信用チューナーのような，端末側装置から電源を供給するシステムに適した自動利得調整回路付きのテレビ受信用増幅装置を提供できる。
【００２２】
請求項５の発明によれば，請求項１乃至請求項４のテレビ受信用増幅装置と，テレビ受信用のアンテナ１と，少なくとも前記第１の増幅部１０と第２の増幅部２０との間に介設する所定長さの伝送線路３と，を予め備えるように構成したので，
配線の簡単な自動利得調整機能付きのテレビ受信用増幅装置を提供できるのである。
【００２３】
請求項６の発明によれば，請求項１乃至請求項５に記載のテレビ受信用増幅装置において，少なくとも，前記第１の増幅部１０と前記第２の増幅部２０との間，及び，前記第２の増幅部２０と端末側との間に介設する伝送線路３，４は外形寸法が５ｍｍと同じ若しくはこれより細径の同軸ケーブルを使用するように構成したので，
例えばビル，マンション等の建造物や，タクシーやバス等の車内への引き込みが容易にできる，自動利得調整回路付きのテレビ共同受信用増幅装置が提供できるのである。
【００２４】
請求項７の発明によれば，請求項１乃至請求項６に記載のテレビ受信用増幅装置において，少なくともテレビ受信用のアンテナ１と前記第１の増幅部１０とを車体の外部に装着された表示灯若しくは広告塔に内蔵するように構成したので，
タクシーやバスにおいて，外観を著しく変えることなく，安定してテレビ放送を受信することができる，自動利得調整回路付きのテレビ共同受信用増幅装置を設置できるのである。
【００２５】
請求項８の発明によれば，請求項１乃至請求項７に記載のテレビ受信用増幅装置において，前記アンテナ１はフィルムアンテナから成るように構成したので，
安価に製作でき，装着が簡単な，自動利得調整回路付きのテレビ受信用増幅装置を提供できるのである。
【００２６】
請求項９の発明によれば，請求項１乃至請求項８の何れかに記載のテレビ受信用増幅装置において，前記テレビ受信用増幅装置は地上ディジタル放送受信用であるように構成したので，
受信レベルが弱い地域においてもＣ／Ｎの劣化がなく，また，受信レベルが強い地域でも安定して受信ができる，自動利得調整回路付きのテレビ受信用増幅装置が提供できる。
また，地上アナログ放送と地上ディジタル放送とのサイマル放送がなされている現状において，最適に受信ができる状態にあっても，例えば地上波のテレビ放送が完全にディジタル化され，地上ディジタル放送だけになったたときに，ＵＨＦ帯のチャンネルが増えて多チャンネル化がなされたり，増力化されたりすることによって，増幅装置への入力レベルが増えた場合であっても，特に切換操作をしなくとも，最適な出力レベルとなるように自動的に利得調整がなされて，安定した受信ができると言ったダイナミックレンジの広いテレビ受信用増幅装置を提供できるのである。
。
【００２７】
請求項１０の発明によれば，少なくとも，テレビ放送波受信用のアンテナと，該アンテナにて受信したテレビ信号を増幅して端末側に一本の伝送線路によって伝送する増幅部とから成るテレビ受信用増幅装置を備えたテレビ受信システムにおいて，前記テレビ受信用増幅装置は，請求項１乃至請求項９の何れかに記載のテレビ受信用増幅装置であって，少なくとも，前記第１の増幅部よりアンテナ側は建造物若しくは車両の外部に設置されるように構成したので
例えばビルやマンション等の建造物や，タクシーやバス等の車内への引き込みが容易にできるテレビ共同受信用増幅装置を備えたテレビ受信システムが提供できるのである。
【発明を実施するための最良の形態】
【００２８】
以下に，本発明を具体化した実施形態の例を，図面を基に詳細に説明する。
図１は本願に係るテレビ受信用増幅装置の第１の実施形態を示す概略ブロック図であり，図２は異なる実施例を示す。図３はアンテナを複数本備えた例である。図４は本願に第２の実施形態を示す概略ブロック図である。図５は本願のテレビ受信用増幅装置を車体に取付けた時の概略図である。
【実施例１】
【００２９】
本願の第１の実施形態について図１を用いて説明する。この図において１はテレビ放送受信用のアンテナであり，本願の実施例によれば地上ディジタル用のＵＨＦアンテナである実施例を示す。
１０は第１の増幅部であって，アンテナの給電部に内蔵させるか，若しくは給電部の近傍において，同軸ケーブルを介してアンテナと接続されている。この第１の増幅部１０は，低雑音なトランジスタやＩＣ等から構成されたプリアンプであって，例えば図示されていない合成樹脂や金属材料等で形成されたケースに，高周波回路を構成したプリント配線板を収納されて成るように構成されている。
アンテナ１で受信された受信信号は，ケースから突設するように取付けられた入力端子Ｉｎ１を介し，増幅部内部に収納された前記プリント配線板に入力される。入力された受信信号は，一般的に図には示されないコンデンサーとコイルとから成る，ＶＨＦ帯の信号を阻止帯域とし，ＵＨＦ帯の信号を通過するように構成されたバンドパスフィルタやハイパスフィルタ等のフィルタ手段を介してから第１の増幅手段１３−１に入力さる。
【００３０】
この第１の増幅手段１３−１は，例えば増幅素子としてのトランジスタやＩＣ等によって構成された高周波増幅回路であり，特に低雑音となるように増幅素子の選択やバイアス設計がなされており，この増幅手段１３−１において所定レベルまで増幅された後に，この増幅手段１３−１からの出力信号を所定範囲で減衰させる第１の信号減衰手段１２に入力される。
この第１の信号減衰手段１２は，ＰＩＮダイオードからなる所謂π型の減衰器であり，後に詳述する伝送線路を介して供給される第１の増幅部制御電圧に対応した減衰量を得るように構成されている。
【００３１】
次にこの第１の信号減衰手段１２を通過した信号は，更に第１の増幅手段１３−２において所定レベルまで増幅される。この増幅手段も例えば増幅素子としてのトランジスタやＩＣ等から成る高周波増幅回路である。
更にこの増幅手段１３−２には，この増幅手段１３−２に接続されて，所定のレベルまで増幅された高周波信号を通過するコンデンサーを介して，該高周波信号を出力端子Ｏｕｔ１に出力すると共に，電源電圧を通過させ，高周波信号を遮断するチョークコイルを介して，前記第１の増幅部制御電圧を出力端子Ｏｕｔ１から第１の増幅部１０内に取り入れる，第１の電源重畳手段１５が接続されている。
【００３２】
１６は出力端子Ｏｕｔ１から前記第１の電源重畳手段１５を介して取り入れられた第１の増幅部制御電圧から，少なくとも増幅手段１３−１，１３−２を動作させるための直流定電圧を生成するための，例えばシリーズレギュレーターや３端子レギュレーター等から構成されている第１の電源生成手段であり，この第１の電源生成手段１６において生成された直流定電圧が請求孔に記載の第１の電源電圧である。
【００３３】
２０は第２の増幅部であって，所定長さの同軸ケーブルを介して端末側に介設された，増幅素子としてのトランジスタ，ＩＣ等から成る高周波増幅回路をプリント配線板に形成して成る増幅部であり，例えば図には示されていない合成樹脂材・金属材料等から成るケースに収納されている。
同軸ケーブル３を介して第１の増幅部１０から伝送された出力信号は，入力端子Ｉｎ２から増幅部２０に入力される。入力された出力信号は，図には示されていないプリント配線板に形成されたコンデンサー，コイル等から成る，ＶＨＦ帯を阻止帯域としＵＨＦ帯を通過帯域とする例えばハイパスフィルタのフィルタ手段を介してから，この出力信号を所定範囲で減衰させる第２の信号減衰手段２２に入力される。
【００３４】
第２の信号減衰手段２２は，例えばＰＩＮダイオードからなる所謂π型の減衰器であり，制御電圧に対応した減衰量を得るように構成されている。
次に第２の信号減衰手段２２を通過した信号は，第２の増幅手段２３において所定レベルまで増幅される。この第２の増幅手段２３は，例えば増幅素子としてのトランジスタ若しくはＩＣ等によって構成された高周波増幅回路であり，特に出力レベルに余裕を持つ高出力型となるように高周波素子の選択やバイアス設計がなされており，この増幅手段２３において所定レベルまで増幅された後に，分岐出力手段２４に入力される。
【００３５】
出力分岐手段２４は本願の実施例では，例えばフェライトコアにポリウレタン線を巻回してなる分岐コイルから成る分岐回路であり，第２の増幅手段２３の出力信号を第２の出力端子Ｏｕｔ２側へ出力すると共に，該増幅されたテレビ信号の一部を分岐端子２４ａに出力するように構成されている。
更にこの出力分岐手段２４の出力には，該出力分岐手段２４から出力されるテレビ信号を第２の出力端子Ｏｕｔ２へコンデンサーを介して出力すると共に，端末側から伝送線路４を介して供給される第２の電源電圧を通過させ，前記テレビ信号を阻止するチョークコイルを介して第２の増幅部２０内に取り入れるための，第２の電源重畳手段２５が接続されている。
【００３６】
また，前記出力分岐手段２４の分岐端子２４ａには，図には示されていない，所定帯域の信号を通過させる例えばコンデンサーとコイル等からなるフィルタ手段２９（例えばバンドパスフィルタ）を介して，前記第２の増幅手段２３による増幅後のテレビ信号が所定レベルとなるように，前記出力分岐手段２４の分岐端子２４ａから，前記フィルタ手段２９を介して出力されたテレビ信号を検波し，この検波電圧に基づいて前記第２の信号減衰手段２２の減衰量を制御するための制御電圧を生成する，第２の自動利得調整手段２７が接続され，前記第２の信号減衰手段２２は，この第２の自動利得調整手段２７によって生成された制御電圧によって制御するように構成され，第２の増幅部２０は自動利得調整付の増幅器として動作するのである。
【００３７】
尚，本願の第２の自動利得調整手段は，所定の通過帯域を有するフィルタ手段２９を介して分岐端子２９ａからのテレビ信号を取り込み，第２の増幅部２０における出力レベルの強度を検出するものであり，例えば信号検波用のダイオードによる検波回路とコンデンサー及び抵抗等で構成した平滑回路とからなる検出部と，出力レベルの強度に応じて前記検出部から出力される検波電圧を取り込み，基準値と比較することによって，出力レベルが基準値を超えているかいないかを判定する，例えばオペレーショナルアンプと抵抗等で構成した演算回路を備えた演算部とから成る。
つまりは，第２の増幅部における出力レベルの強度を検出部で検出して，その検波電圧が基準電圧を超えているかいないかの判断を演算部において行い，検波電圧が基準電圧より高い場合は，検波電圧に応じた信号が演算部より制御信号として出力され，この制御信号によって，上記第２の信号減衰手段２２を制御しすることによって，第２の増幅部２２は自動利得調整を行いながら増幅するのである。
検波電圧が基準電圧より低い場合は，演算部より出力される信号がほぼゼロとなり，上記第２の信号減衰手段２２には制御電圧が印加されず，該第２の信号減衰手段２２は減衰量がほぼゼロの通過状態となり，自動利得調整回路は動作しない通常の増幅部２０として動作するのである。
【００３８】
更に前記第２の自動利得調整手段２７には，該第２の自動利得調整手段２７において生成された制御電圧に対応し，該制御信号より高い電圧であって前記第３の電源電圧より低い電圧の範囲内で可変する第１の増幅部制御電圧を生成する，例えばオペレーショナルアンプと抵抗等で構成した演算回路から成る第１の増幅部制御電圧生成手段２８が接続されている。
また，入力端子Ｉｎ２と前記第２の信号減衰手段２２との間には，前記第１の増幅部制御電圧生成手段２８において生成された第１の増幅部制御電圧を通過し，高周波信号を遮断するチョークコイルを介して前記第１の増幅部制御電圧を前記第２の入力端子Ｉｎ２側へ出力すると共に，この第２の入力端子Ｉｎ２から入力されたテレビ信号を通過し，前記第１の増幅部制御電圧を阻止するコンデンサーを介して，高周波信号を前記第２の信号減衰手段２２へ出力する第１の増幅部制御電圧重畳手段２１が備えられている。
尚，本願の実施例によれば，第２の増幅部２０を構成する第２の増幅手段２３は本願の実施例に示す例に限定されるものではなく，第１の増幅部１０のように構成してもよいなど実施例に限定されるものではない。
【００３９】
また，本願の実施例では，第１の増幅部１０は第２の増幅部２０からの第１の増幅部制御電圧によって第１の増幅手段１３の駆動と，第１の信号減衰手段１２の制御を行うように構成したものであるが，例えば図２に示すように，第２の増幅部２０に出力端子Ｏｕｔ２から入力端子Ｉｎ２へ前記第２の電源電圧を通過させる電流通過回路を設け，第２の増幅部２０は第２の電源電圧で動作すると共に，この第２の電源電圧を伝送線路３を介して第１の増幅部１０に供給することで，第１の増幅部１０を駆動させる。更に，第２の増幅部２０に備えた自動利得調整手段２７から出力される第１の増幅部制御電圧は，前記伝送線路３とは別に備えさせた制御線によって，前記第１の増幅部と接続して，第１の増幅部１０に備えられた第１の信号減衰手段１２を制御するように構成してもよい。この場合は第１の増幅部制御電圧生成手段２８は必要ない。
尚，この実施例は，これ以降に示す実施例にも応用できる事は言うまでもない。
【００４０】
３０は端末側の装置であって，少なくとも，前記第２の電源電圧を生成する端末側電源生成手段３１と，前記第２の増幅部２０との間に介設される伝送線路４からの高周波信号を通過し，前記第２の電源電圧を遮断するコンデンサーを介して増幅部からのテレビ信号を受け入れると共に，前記第２の電源電圧を通過し，前記高周波信号を阻止するチョークコイルを介して前記第２の増幅部２０に向けて第１の増幅部制御電圧を送出するための，端末側重畳手段３２とを備えている。
一般的にこの端末側装置３０は，テレビ受像機や，ＨＤＤレコーダー等のディジタル家電であってもよいし，地上ディジタル放送用のチューナーであってもよい。また，これらの端末側装置３０と前記増幅部２０との間に介設した同軸ケーブルに挿設させて，例えば車のシガライターのソケットから電源を取るように構成した，前記増幅部２０に電源供給するための電源挿入器として構成してもよいなど，特にその構成を限定するものではない。
【００４１】
図３に本願の第１実施形態の異なる実施例を示す。尚，上記実施例と同じ構成を示すものは同じ符号を付与し詳細な説明は省略する。この実施例ではテレビ受信用のアンテナ１を複数個備え，このアンテナ１，１・・・に対して同数の第１の増幅部１０，１０・・・を備えさせて，第１の増幅部１０，１０・・・の出力信号を混合器８において混合して，一本の同軸伝送線路３を用いて第２の増幅部に送出するように構成されたものであり，混合器８は出力端子から各入力端子へ電流通過するように構成されており，受信信号の一番大きいアンテナから信号に対して，第１の増幅部と第２の増幅部の自動利得調整回路が動作するのである。
【実施例２】
【００４２】
次に本発明の第２の実施形態として図４を参照して説明する。尚，以下の説明では，上記第１の実施形態のテレビ共同受信用増幅装置と同様の構成要素については同一符号を付与し，詳細な説明は省略する。                            
【００４３】
この実施例では，アンテナ１が複数個備えられており，夫々のアンテナの受信信号はアンテナと同数用意された第１の増幅部１０を介してアンテナ切換部９に入力されている。
このアンテナ切換部９は，各第１の増幅部１０，１０・・・から出力された受信信号の一部を検波して検波信号を出力する受信部４１，４１・・・と，前記受信信号の信号強度に応じて前記アンテナ切換手段４６へ切換制御信号を送る切換判定手段４５と，該切換判定手段４５に基づいて前記受信信号を切り換えて出力信号として出力するアンテナ切換手段４６とから成り，前記切換判定手段４５において，前記アンテナ切換手段４６の切換の判断基準となる受信信号の信号強度に対する閾値との比較が行われ，これに基づいてアンテナ切換手段４６を切り換える，所謂ダイバーシティー方式に構成されている。これによって，最適な受信アンテナからの受信信号を得られるばかりでなく，受信しないアンテナに接続された第１の増幅部を受信システムから切り離すことができ，この増幅部が雑音源となることを防止できるのである。
本願の実施例では，前記アンテナ切換手段として，例えばリレーなどから構成される高周波切換スイッチを用いた例を示したが，このリレーの変わりにアンテナからの信号線に減衰器を備えさせ，選択した受信アンテナの信号線に介在させた減衰器は減衰量をゼロに，選択されない受信アンテナの信号線に介在させた減衰量は最大となるように，前記切換判定手段４５によって減衰器の減衰量を切換可能なように構成すれば，高周波切替スイッチと同様の効果が得られる。
尚，このアンテナ切換部９には出力端子側から入力端子側へ第２の増幅部２０から供給される第１の増幅部制御電圧が通過するように電流通過回路が備えられている。
【００４４】
次に，本願のテレビ受信用増幅装置を用いた具体的な配線システム例について図５を用いて説明する。この実施例では少なくともアンテナ１と第１の増幅部１０を，例えばタクシーなどの車１００のルーフに設置されている表示灯１０１の内部に配設した構成例を示したものである。
この図においてアンテナ１は無指向性のＵＨＦディジタル放送用のアンテナである。尚，実施例に示すアンテナは設置の状態を示すために書かれたものであり，特にこの形状に限定されるものでなく，例えば透明性の良い薄板の絶縁体の表面に導電材料を用いてアンテナ素子を形成したものでも良い。
本願の実施例における第１の増幅部１０は，増幅素子としてのトランジスタやＩＣ等から成る雑音指数２．５ｄＢ，利得２０ｄＢの低雑音増幅回路からなる。この第１の増幅部１０は，前記表示灯１０１の内部であって，前記アンテナの近傍に例えばアンテナの出力と同軸ケーブルによって接続されているのであるが，この第１の増幅部１０は前記アンテナ１の給電部に内蔵させても良いし，前記アンテナ１の出力端子と第１の増幅部１０の入力端子とが直接接続できるように端子構造をメイル（雄），フィーメイル（雌）の構成としても良く，出来うる限り短い距離で接続することによって受信信号のＣ／Ｎの劣化が少なくなるように構成するのが良い。
またこの実施例では，アンテナ１と第１の増幅部１０は表示灯に内蔵させることから，アンテナ１と第１の増幅部１０は，特に防水構造を有するような複雑な構造体のケースに収納する必要がなく，安価に構成できる。
【００４５】
第１の増幅部１０において所定レベルまで増幅された受信信号は，同軸ケーブル３を介して第２の増幅部２０と接続されている。この同軸ケーブル３は，例えば２Ｃ若しくはそれより細径の可曲性の良い同軸ケーブルが好適であり，車体のラインに合わせて配設を容易にすると共に，車体内部への引き込み作を容易としている。尚，第１の増幅部１０と第２の増幅部との間に介設される同軸ケーブルは所定の長さに形成したものを，予め接続した状態にしてもよいし，別体に用意してコネクタで接続できるように構成してもよい。
【００４６】
次に第２の増幅部２０について説明する。この第２の増幅部は同軸ケーブル３を介して車のトランクルームやシートの下の間隙等に設置される。
この第２の増幅部２０は増幅素子としてのトランジスタやＩＣ等から構成される略３０ｄＢ程度の増幅度を有する高出力型の高周波回路であり，同じく車内に設置された例えば地上ディジタル放送受信用のチューナーの端末側装置と接続されるのである。
【００４７】
このように本願のテレビ受信用増幅装置は，アンテナの給電部に内蔵するか，若しくは，アンテナの近傍に設置される，少なくとも第１の信号減衰手段１２と第１の増幅手段１３から成る第１の増幅部１０と，地上ディジタル放送受信用チューナーである端末側装置３０の近傍に設置される，少なくとも第２の信号減衰手段２２と第２の増幅手段２３から成る第２の増幅部２０とから成り，
前記第２の増幅部２０は前記端末側から伝送線路４を介して供給される第２の電源電圧によって動作するように構成され，
前記第１の増幅部１０は，伝送線路８を介して供給される第２の電源電圧から，前記第１の電源生成手段１６を介して生成された第１の電源電圧によって動作すると共に，前記第１の信号減衰手段１２は前記第２の増幅部２０に備えられた前記第２の電源生成手段２８において生成された第２の電源電圧によって制御されるように構成したので，
入力レベルの変化に対するダイナミックレンジが広く，受信信号が小さくても，Ｃ／Ｎの劣化なく受信できる。また，例えば，地上ディジタル放送を受信するための増幅装置のように，現時点において地上ディジタル放送波の送信電力などがフルパワーでない地域や，安定的に出されていない地域において使用する場合に最適な受信状態に成るように設置されたままの状態で，２０１１年以降にテレビ放送が完全ディジタル化が行われ，現状の受信状態より多チャンネルの電波が入力されたり，送信電力の増力化がなされたりし，増幅装置に更に大きいレベルの信号が入力されても，自動的に最適な出力レベルが得られるのである。
また，車のような移動体での使用を考えたときに，上述のような受信レベルの変動ばかりでなく，短時間の移動の間に，電界強度が大きく変化する場合があるが，この入力の変化に対応するために，移動時（即ち運転時）に，スイッチ操作によって減衰器の設定を切り換えるような方式の増幅装置と比べて，スイッチ操作をすることもないので，安全性に優れているのである。
更に加えて，スイッチ操作をすることがないので，第２の増幅部の設置場所は限定されることがなく，極めて利便性の良いテレビ受信用増幅装置が提供できるのである。
尚，本発明は上記実施の形態に限定されるものではなく，以下に例示するように，本発明の趣旨を逸脱しない範囲で各部の構成を適宜に変更して実施することも可能である。
【図面の簡単な説明】
【００４８】
【図１】本発明に係るテレビ受信増幅装置の第１の実施形態を示す概略ブロック図である。
【図２】第１の実施形態の異なる実施例を示す概略ブロック図である。
【図３】アンテナを複数本備えた実施例を示す概略ブロック図である。
【図４】本願に係る第２の実施形態を示す概略ブロック図である。
【図５】本願のテレビ受信用増幅装置を車体に取付けられた表示灯に内蔵させたときの概略図である。
【符号の説明】
【００４９】
１…アンテナ，２・３・４…伝送線路，８…混合器，９…アンテナ切換部，１０…第１の増幅部，１２…第１の信号減衰手段，１３…第１の増幅手段，１５…第１の電源重畳手段，１６…第１の電源生成手段，２０…第２の増幅部，２１…第１の増幅部制御電圧重畳手段，２２…第２の信号減衰手段，２３…第２の増幅手段，２４…出力分岐手段，２４ａ…分岐端子，２５…第２の電源重畳手段，２７…第２の自動利得調整手段，２８…第１の増幅部制御電圧生成手段，２９…フィルタ手段，３０…端末側装置，３１…第２の電源生成手段，３２…第２の電源重畳手段，４１…受信部，４５…切換判定手段，４６…アンテナ切換手段，１００…車体，１０１…ルーフ
【図１】
2006229500.tif 000003
【図２】
2006229500.tif 000004
【図３】
2006229500.tif 000005
【図４】
2006229500.tif 000006
【図５】
2006229500.tif 000007